(57)【要約】【課題】装置の大型化を伴うことなく、比較的小さい電流領域でも適切に接点間のアークを消弧装置側へ移動させることができる回路遮断器を提供する。【解決手段】互いに対向するように配置された前後一対の固定接触子２，３と、固定接触子２，３を橋絡する可動接触子４と、可動接触子４の両端の側面部をそれぞれ挟むようにして配置される永久磁石からなる前後一対の磁気駆動ヨーク１０とを各極に備える。閉極状態では、可動接触子４が接触スプリング５により固定接触子２，３に押圧されることで各極通電路を閉路し、開極状態では、可動接触子４が開閉機構により接触スプリング５に抗して押され、固定接触子２，３から開離することで前記通電路を開路する。【選択図】      図２
2012043541.tif 000002
【特許請求の範囲】
【請求項１】
互いに対向するように配置された前後一対の固定接触子と、前記固定接触子を橋絡する直動式の可動接触子と、前記可動接触子の両端の側面部をそれぞれ挟むようにして配置される前後一対の磁気駆動ヨークと、を各極に有し、前記可動接触子が接触スプリングにより前記固定接触子に押圧されることで各極通電路を閉路すると共に、前記可動接触子が開閉機構により前記接触スプリングに抗して押され、前記固定接触子から開離することで前記通電路を開路するように構成された回路遮断器であって、
前記磁気駆動ヨークは、永久磁石からなることを特徴とする回路遮断器。
【請求項２】
前記磁気駆動ヨークは、Ｕ字形の永久磁石からなり、両脚部で前記可動接触子の前記側面部をそれぞれ挟むようにして配置されることを特徴とする請求項１に記載の回路遮断器。
【請求項３】
前記可動接触子の前後に配置された一対の消弧装置と、これらの消弧装置間に跨がるように前記可動接触子の下方に配置され、電流遮断時に前記固定接触子と前記可動接触子との間に発生するアークの前記可動接触子側の足を転流させるアーク転流板と、を備え、
前記アーク転流板は、前記可動接触子側に折り曲げ形成された一対のＵ字形磁性体を有しており、
前記磁気駆動ヨークは、短冊形の永久磁石からなり、その下面が前記Ｕ字形磁性体の両脚部上面に固定されることで、前記可動接触子の前記側面部をそれぞれ挟むようにして配置されることを特徴とする請求項１に記載の回路遮断器。
【請求項４】
前記可動接触子の前後に配置された一対の消弧装置と、これらの消弧装置間に跨がるように前記可動接触子の下方に配置され、電流遮断時に前記固定接触子と前記可動接触子との間に発生するアークの前記可動接触子側の足を転流させるアーク転流板と、を備え、
前記アーク転流板は、前記可動接触子側に折り曲げ形成された一対のＵ字形磁性体を有しており、
前記磁気駆動ヨークは、短冊形の永久磁石からなり、前記Ｕ字形磁性体の両脚部の内側表面に固定されることで、前記可動接触子の前記側面部をそれぞれ挟むようにして配置されることを特徴とする請求項１に記載の回路遮断器。
【発明の詳細な説明】
【技術分野】
【０００１】
本発明は、配線保護などに用いられる回路遮断器に関し、特に直動２接点構造をもつ回路遮断器に関するものである。
【背景技術】
【０００２】
従来の回路遮断器として、例えば特許文献１に記載の技術がある。この技術は、Ｕ字形の磁性体を電流経路の異なる可動接触子と固定接触子との外側に設けるものである。このような構成により、短絡電流等の大電流が流れたときに接点間に反発する方向の電磁反発力（ローレンツ力）を発生させることができ、可動接触子を固定接触子から開離する方向へ動作させて遮断性能を向上させることができる。また、接点開極後に接点間に発生するアークを、可動接触子の両端側に配置した消弧装置へ移動させることができる。
【先行技術文献】
【特許文献】
【０００３】
【特許文献１】特許第３８５９０５３号公報
【発明の概要】
【発明が解決しようとする課題】
【０００４】
ところで、磁性体により発生する電磁力は電流に比例する。そのため、上記従来の回路遮断器にあっては、定格電流程度の比較的小さい電流領域では大きな電磁力を発生させることができない。
したがって、低い電流領域では、接点開極時に発生したアークを消弧装置へ移動させる力が不足してしまう。このため、電流遮断時（接点開極動作時）に接点間に発生したアークは両接点間の短い距離で停滞した状態で遮断しなければならず、電流零点を持たない直流回路で高電圧に対応するためには、より多くの接点開極距離を必要とする。その結果、消弧装置並びに製品が大型化するなどの問題がある。
そこで、本発明は、装置の大型化を伴うことなく、比較的小さい電流領域でも適切に接点間のアークを消弧装置側へ移動させることができる回路遮断器を提供することを課題としている。
【課題を解決するための手段】
【０００５】
上記課題を解決するために、請求項１に係る回路遮断器は、互いに対向するように配置された前後一対の固定接触子と、前記固定接触子を橋絡する直動式の可動接触子と、前記可動接触子の両端の側面部をそれぞれ挟むようにして配置される前後一対の磁気駆動ヨークと、を各極に有し、前記可動接触子が接触スプリングにより前記固定接触子に押圧されることで各極通電路を閉路すると共に、前記可動接触子が開閉機構により前記接触スプリングに抗して押され、前記固定接触子から開離することで前記通電路を開路するように構成された回路遮断器であって、前記磁気駆動ヨークは、永久磁石からなることを特徴としている。
【０００６】
これにより、閉極状態で可動接触子に電流が流れると、その電流が磁気駆動ヨークによって集束された磁束と鎖交し、可動接触子は強い電磁反発力（ローレンツ力）を受けて固定接触子から開離する方向へ駆動される。また、接点開極動作時には、固定接点と可動接点との間にアークが発生するが、このアークは磁気駆動ヨークにより強められた磁束と鎖交することで駆動され、可動接触子の前後に配置された消弧装置まで移動して消弧される。
ここで、磁気駆動ヨークとして永久磁石を用いるので、電流の大きさにかかわらず、一定の磁束をもたせることができる。そのため、比較的小さい電流領域であっても、接点開極動作時に接点間に発生したアークを効率良く消弧装置へ駆動させることができる。
【０００７】
また、請求項２に係る回路遮断器は、請求項１に係る発明において、前記磁気駆動ヨークは、Ｕ字形の永久磁石からなり、両脚部で前記可動接触子の前記側面部をそれぞれ挟むようにして配置されることを特徴としている。
このように、磁気駆動ヨークをＵ字形の永久磁石により構成するので、Ｕ字形の両脚部によって確実に可動接触子の両端の側面部を挟むことができると共に、磁気駆動ヨークを所望の位置に配置することができるので、配置の自由度が大きい。
【０００８】
さらに、請求項３に係る回路遮断器は、請求項１に係る発明において、前記可動接触子の前後に配置された一対の消弧装置と、これらの消弧装置間に跨がるように前記可動接触子の下方に配置され、電流遮断時に前記固定接触子と前記可動接触子との間に発生するアークの前記可動接触子側の足を転流させるアーク転流板と、を備え、前記アーク転流板は、前記可動接触子側に折り曲げ形成された一対のＵ字形磁性体を有しており、前記磁気駆動ヨークは、短冊形の永久磁石からなり、その下面が前記Ｕ字形磁性体の両脚部上面に固定されることで、前記可動接触子の前記側面部をそれぞれ挟むようにして配置されることを特徴としている。
【０００９】
このように、磁気駆動ヨークを短冊形の永久磁石により構成するので、Ｕ字形の永久磁石で構成する場合と比較して、永久磁石の大きさを小さくすることができる。したがって、その分のコストを削減することができる。さらに、アーク転流板と一体的に構成するので、構成部品点数を減らし回路遮断器の組立性の簡素化を実現することができる。
【００１０】
また、請求項４に係る回路遮断器は、請求項１に係る発明において、前記可動接触子の前後に配置された一対の消弧装置と、これらの消弧装置間に跨がるように配置され、電流遮断時に前記固定接触子と前記可動接触子との間に発生するアークの前記可動接触子側の足を転流させるアーク転流板と、を備え、前記アーク転流板は、前記可動接触子側に折り曲げ形成された一対のＵ字形磁性体を有しており、前記磁気駆動ヨークは、短冊形の永久磁石からなり、前記Ｕ字形磁性体の両脚部の内側表面に固定されることで、前記可動接触子の前記側面部をそれぞれ挟むようにして配置されることを特徴としている。
【００１１】
このように、アーク転流板に折り曲げ形成されたＵ字形磁性体の両脚部の内側表面に、短冊形の永久磁石を固定するので、Ｕ字形磁性体の両脚部の先端に固定する場合と比較して、永久磁石からの漏れ磁束を減少させることができる。その結果、接点開極動作時に接点間に発生するアークを効率良く消弧装置まで駆動することができる。
【発明の効果】
【００１２】
本発明によれば、磁気駆動ヨークとして永久磁石を用いるので、比較的小さい電流領域でも、接点開極時に通電路の周囲に発生したアークを確実に消弧装置側へ移動させることができる。したがって、直流回路に適した小形回路遮断器の提供と製品本体の小型化に寄与でき、交流専用品との部品共用化を多くできることから、低コストな回路遮断器を提供することができる。
【図面の簡単な説明】
【００１３】
【図１】本発明に係る回路遮断器の電流遮断部の構造を示す断面図である。
【図２】第１の実施形態の磁気駆動ヨーク部の構造を示す分解斜視図である。
【図３】接点閉極位置における電流遮断部の構造を示す断面図である。
【図４】第１の実施形態の接点近傍断面図と電流、磁束、電磁反発力のベクトル図である。
【図５】第１の実施形態の接点近傍上面図と電流、磁束、電磁反発力のベクトル図である。
【図６】第１の実施形態の接点開極位置における電流遮断部構造とアークの進行方向とを示す図である。
【図７】第２の実施形態の電流遮断部の構造を示す断面図である。
【図８】第２の実施形態の磁気駆動ヨーク部の構造を示す分解斜視図である。
【図９】第２の実施形態の接点近傍上面図と電流、磁束、電磁反発力のベクトル図である。
【図１０】第３の実施形態の磁気駆動ヨーク部の構造を示す分解斜視図である。
【図１１】第３の実施形態の接点近傍上面図と電流、磁束、電磁反発力のベクトル図である。
【図１２】磁気駆動ヨークからの漏れ磁束を示す図である。
【図１３】従来の回路遮断器の電流遮断部の構造を示す図である。
【発明を実施するための形態】
【００１４】
以下、本発明の実施の形態を図面に基づいて説明する。
（第１の実施形態）
（構成）
図１は、本発明に係る回路遮断器の電流遮断部を示す断面図である。ここで、本発明に係る回路遮断器は、直動２接点構造を持つ回路遮断器である。
図中、符号１は電流遮断部である。各相通電路には平角導体からなるＵ字状の固定接触子２，３が前後に対向して配置され、各々には固定接点２ａ，３ａが取り付けられている。両端がへ字状に屈曲された短冊形の可動接触子４は、固定接点２ａ及び３ａとそれぞれ接触可能な一対の可動接点４ａ及び４ｂを有する。この可動接触子４は、通電路を閉路する閉極状態では、圧縮ばねからなる接触スプリング５により固定接触子２，３側に押圧され、可動接点４ａ及び４ｂが固定接点２ａ及び３ａとそれぞれ接触することで、固定接触子２，３間を橋絡する。一方、通電路を開路する図示開極状態では、可動接触子４は図示しない開閉機構により接触スプリング５に抗して押し下げられることで、固定接触子２，３から開離する。
【００１５】
また、可動接触子４の前後には一対の消弧装置６が配置され、その複数枚のグリッド７は可動接触子４の両端を囲んでいる。グリッド７は、上面視においてＵ字状の磁性板からなり、左右一対の絶縁物の側壁８に支持されている。さらに、消弧装置６の下方には、前後の消弧装置６に跨がるように、鋼板などの高抵抗材からなるアーク転流板９が設けられ、このアーク転流板９は接触スプリング５の受板ともなっている。
【００１６】
図中符号１０は、Ｕ字形の永久磁石からなる前後一対の磁気駆動ヨークである。この磁気駆動ヨーク１０は、左右の脚部で可動接触子４の両端の側面部をそれぞれ挟むようにして配置される。なお、左右の脚部のうち一方の脚部がＳ極、他方の脚部がＮ極であり、図５に示す極性となるように配置されている。磁気駆動ヨーク１０の左右の脚部は、絶縁カバー１１で覆われる。
【００１７】
図２は、アーク転流板９、磁気駆動ヨーク１０および絶縁カバー１１からなる磁気駆動ヨーク部の構造を示す分解斜視図である。
絶縁カバー１１は、樹脂成形により左右一対の側壁１１ａ，１１ｂを有するＵ字形に形成されており、可動接触子４を側壁１１ａ，１１ｂの間で開閉方向（図１の上下方向）に移動可能に保持する。この絶縁カバー１１の側壁１１ａ，１１ｂには、それぞれ下面が開口した袋状部が形成されている。これら袋状部は、回路遮断器の組み立て時において、磁気駆動ヨーク１０の両脚部１０ａ，１０ｂに被せられる。また、アーク転流板９は、回路遮断器の組み立て時において、磁気駆動ヨーク１０の両脚部１０ａ，１０ｂの間で、且つ絶縁カバー１１の下面部外側に配置される。
【００１８】
（動作）
次に、第１の実施形態の動作について、図３〜図６を参照しながら説明する。
ここで、図３は接点閉極位置における電流遮断部の構造を示す断面図、図４は接点近傍断面図、図５は接点近傍上面図、図６は接点開極位置における電流遮断部構造とアークの進行方向とを示す図である。
図３に示す閉極状態において、図中矢印に示すように、短絡電流のような大電流Ｉが流れたものとする。このとき、図４に示すように、電流Ｉが可動接触子４を図４の紙面垂直方向において上から下に向かうように流れているものとすると、この電流Ｉに基づく磁束Φは磁気駆動ヨーク１０で集束され、可動接触子４及び磁気駆動ヨーク１０を時計回りに通る。その際、可動接触子４を図４の左から右に通る磁束Φは可動接触子４を流れる電流Ｉと直交するため、フレミングの左手則により、可動接触子４には図４に示すように下方向に電磁反発力（ローレンツ力）Ｆ１が働く。
【００１９】
同時に、図示しない過電流検出装置が過電流を検出して引外し信号を出力し、それを受けて開閉機構が可動接触子４を図３の下方向へ押し下げる。これにより、固定接触子２及び３の固定接点２ａ及び３ａと、可動接触子４の可動接点４ａ及び４ｂとが引き外される。
そのため、可動接触子４は、電磁反発力単独又は開閉機構単独で駆動するものよりも大きい速度で開極駆動される。したがって、それだけ遮断性能を向上させることができる。
【００２０】
また、固定接点２ａ及び３ａと可動接点４ａ及び４ｂとが引き外される接点開極動作時には、固定接触子２及び３と可動接触子４との間にアークが発生する。このアークＡは、図５に示すように、磁気駆動ヨーク１０によって強められた磁束（図４の左から右に通る磁束）Φと直交するため、フレミングの左手則により、アークＡには可動接触子４の前後方向外側へ向かう力Ｆ２が働く。これにより、接点間に発生したアークＡは、図６に示すように、アークＡ１→アークＡ２→アークＡ３→アークＡ４と、可動接触子４の前後方向外側に配置された消弧装置６側へ移動する。消弧装置６に引き込まれたアークＡは、分析・冷却されて消弧され、短絡遮断動作が完了する。
その際、アーク転流板９を設けているため、アークＡの可動接触子４側の足はアーク転流板９に移り、アークＡは電流が可動接触子４を流れない状態で消弧されて、大電流による可動接触子４の損傷が抑えられる。
【００２１】
ところで、従来、磁気駆動ヨークとして磁性体を用いるものがある。
図１３は、従来の回路遮断器の電流遮断部の構造を示す図であり、（ａ）は電流遮断部の上面図、（ｂ）は電流遮断部の正面図である。ここでは、アーク転流板１０９と一体に磁性体からなる磁気駆動ヨーク１１０を形成した例を示している。すなわち、前後一対の磁気駆動ヨーク１１０は、アーク転流板１０９に一体に折り曲げ形成され、可動接触子１０４の開極移動方向に起立延在している。
このような構成により、短絡電流等の大電流が流れると、本実施形態と同様に、接点間に反発する方向の電磁力を発生させて、可動接触子１０４を固定接触子から開離させる方向へ動作させることができる。また、接点開極後は、接点間に発生するアークを消弧装置へ移動させる電磁力を発生させることができる。
【００２２】
しかしながら、磁性体により発生する電磁力は電流に比例するため、磁気駆動ヨークとして磁性体を用いた場合、定格電流程度の比較的小さい電流領域では、大きな電磁力を発生させることができず、接点開極時に発生したアークを適切に消弧装置へ移動させることができないおそれがある。このため、電流遮断時（接点開極動作時）に接点間に発生したアークは、両接点間の短い距離で停滞した状態で遮断しなければならず、電流零点を持たない直流回路で高電圧に対応するためには、より多くの接点開極距離を必要とする。その結果、消弧装置並びに製品が大型化するなどの問題がある。
【００２３】
これに対して、本実施形態では、磁気駆動ヨークとして永久磁石を用いるので、電流の大きさにかかわらず一定の電磁力を発生させることができる。したがって、定格電流程度の比較的小さい電流領域でも十分な電磁力を発生させることができ、接点開極時に発生したアークを適切に消弧装置へ移動させることができる。
以上のように、より広い範囲の電流領域で回路遮断器が持つ消弧装置を効率良く使用した電流遮断が可能となる。
【００２４】
（効果）
このように、第１の実施形態では、可動接触子の両端の側面部をそれぞれ挟むように前後一対の磁気駆動ヨークを配置するので、閉極状態で可動接触子に電流が流れたとき、固定接触子と可動接触子との間に強い電磁反発力（ローレンツ力）を発生させて、可動接触子を固定接触子から開離する方向へ駆動させることができる。また、接点開極動作時には、接点間に発生したアークをローレンツ力により消弧装置方向へ駆動することができる。
【００２５】
このとき、磁気駆動ヨークとして永久磁石を用いるので、電流の大きさにかかわらず一定の磁束をもたせることができる。そのため、比較的小さい電流領域であっても、接点開極動作時に接点間に発生したアークを効率良く消弧装置方向へ駆動させることができる。
したがって、従来構造では対応が困難であった低電流領域の直流遮断において、確実に消弧装置を使用した広範囲の電流遮断が可能となる。そのため、直流回路に適した小形消弧装置の提供と製品本体の小型化に寄与でき、交流専用品との部品共用化を多くできることから、低コストな回路遮断器を実現することができる。
【００２６】
また、磁気駆動ヨークをＵ字形の永久磁石により構成するので、Ｕ字形の両脚部によって確実に可動接触子の両端の側面部を挟むことができる。さらに、磁気駆動ヨークを単独部材とするので、アーク転流板を帯状に形成することができ、アーク転流板と一体的に構成する場合と比較してアーク転流板の成形が容易となると共に、磁気駆動ヨークの配置の自由度を大きくすることができる
さらに、接点開極動作過程において、接点近傍にはアークによって発生した高圧力の導電性ガスが充満するが、磁気駆動ヨークの両脚部を絶縁カバーで完全に覆うことで、磁気駆動ヨーク同士の相間短絡が発生するのを防止することができる。
【００２７】
（第２の実施形態）
次に、本発明の第２の実施形態について説明する。
この第２の実施形態は、前述した第１の実施形態において、Ｕ字形の磁気駆動ヨーク１０を適用しているのに対し、磁気駆動ヨーク１０をアーク転流板９に一体的に構成するようにしたものである。
（構成）
図７は、第２の実施形態の電流遮断部１の構造を示す断面図である。
この図７に示すように、本実施形態の電流遮断部１は、図１に示す電流遮断部１において、磁気駆動ヨーク部の構成が異なることを除いては、図１の電流遮断部１と同様の構成を有する。したがって、図１と同様の構成を有する部分には同一符号を付し、ここでは構成の異なる部分を中心に説明する。
本実施形態では、アーク転流板９に代えてアーク転流板１９を用いると共に、磁気駆動ヨーク１０に代えて、短冊状の磁気駆動ヨーク２０を用いる。
【００２８】
図８は、第２の実施形態の磁気駆動ヨーク部の構造を示す分解斜視図である。
この図８に示すように、アーク転流板１９の前後方向における可動接触子４の両端位置には、それぞれ可動接触子４側に折り曲げ成形されたＵ字形磁性体１９ａ，１９ｂが形成されている。
また、磁気駆動ヨーク２０は短冊形の永久磁石からなり、その下面が、アーク転流板１９のＵ字形磁性体１９ａ，１９ｂの両脚部の上面に固定されることで、アーク転流板１９と一体的に構成される。このとき、磁気駆動ヨーク２０は、可動接触子４の幅方向（左右方向）において、図９に示す極性となるように、異なる磁極が対向するように配置する。
【００２９】
回路遮断器の組み立て時には、アーク転流板１９に形成されたＵ字形磁性体１９ａ，１９ｂの両脚部上面に磁気駆動ヨーク２０を固定した状態で、Ｕ字形磁性体１９ａ，１９ｂ及び磁気駆動ヨーク２０に、前述した第１の実施形態と同様の構成を有する絶縁カバー１１が被せられる。
これにより、Ｕ字形磁性体１９ａ，１９ｂの両脚部にそれぞれ固定された磁気駆動ヨーク２０によって可動接触子４の側面部を挟む。すなわち、Ｕ字形磁性体１９ａ，１９ｂの両脚部は、可動接触子４の可動範囲に磁気駆動ヨーク２０が配置される程度に短く形成する。
【００３０】
（動作）
次に、第２の実施形態の動作について説明する。
閉極状態において、短絡電流のような大電流Ｉが流れ、固定接触子２及び３の固定接点２ａ及び３ａと、可動接触子４の可動接点４ａ及び４ｂとが引き外されると、固定接触子２及び３と可動接触子４との間にはアークが発生する。
このアークＡは、図９に示すように、磁気駆動ヨーク２０によって強められた磁束Φと鎖交するため、アークＡには可動接触子４の前後方向外側へ向かう力Ｆ２が働く。これにより、このアークＡは、可動接触子４の両端側に配置された消弧装置６まで移動する。
このように、上述した第１の実施形態と同様に、接点開極時に通電路の周囲に発生したアークを適切に消弧装置側へ移動させることができる。
【００３１】
（効果）
このように、第２の実施形態では、磁気駆動ヨークをアーク転流板と一体的に構成するので、回路遮断器の組み立てや部品管理が容易となる。
また、磁気駆動ヨークを短冊形とするので、上述した第１の実施形態におけるＵ字形の磁気駆動ヨークと比較して、永久磁石の大きさを小さくすることができ、その分コストを削減することができる。
【００３２】
（第３の実施形態）
次に、本発明の第３の実施形態について説明する。
この第３の実施形態は、前述した第２の実施形態において、磁気駆動ヨークをアーク転流板に形成したＵ字形磁性体の両脚部の上面に固定しているのに対し、Ｕ字形磁性体の両脚部の内側表面に固定するようにしたものである。
（構成）
本実施形態の電流遮断部１は、図８に示す電流遮断部１において、磁気駆動ヨーク部の構成が異なることを除いては、図８の電流遮断部１と同様の構成を有する。したがって、ここでは構成の異なる部分を中心に説明する。
【００３３】
図１０は、第３の実施形態の磁気駆動ヨーク部の構造を示す分解斜視図である。
この図１０に示すように、アーク転流板２９の前後方向における可動接触子４の両端位置には、それぞれ可動接触子側に折り曲げ成形されたＵ字形磁性体２９ａ，２９ｂが形成されている。また、これらＵ字形磁性体２９ａ，２９ｂの両脚部内側には、磁気駆動ヨーク３０を固定するための段差部２９ｃが形成されている。
【００３４】
磁気駆動ヨーク３０は、段差部２９ｃと同等の厚さを有する短冊形の永久磁石からなり、アーク転流板２９に形成された段差部２９ｃに固定されることで、アーク転流板２９と一体的に構成される。すなわち、磁気駆動ヨーク３０は、Ｕ字形磁性体２９ａ，２９ｂの両脚部の内側表面に固定されることになる。このとき、磁気駆動ヨーク３０は、可動接触子４の幅方向（左右方向）において、図１１に示す極性となるように、異なる磁極が対向するように配置する。
【００３５】
回路遮断器の組み立て時には、アーク転流板２９に形成された段差部２９ｃに磁気駆動ヨーク３０を固定した状態で、Ｕ字形磁性体２９ａ，２９ｂ及び磁気駆動ヨーク３０に、前述した第１及び第２の実施形態と同様の構成を有する絶縁カバー１１が被せられる。
これにより、Ｕ字形磁性体２９ａ，２９ｂの両脚部にそれぞれ固定された磁気駆動ヨーク３０によって可動接触子４の側面部を挟む。すなわち、Ｕ字形磁性体２９ａ，２９ｂの両脚部は、可動接触子４の可動範囲に磁気駆動ヨーク３０が配置される程度に長く形成する。
【００３６】
（動作）
次に、第３の実施形態の動作について説明する。
閉極状態において、短絡電流のような大電流Ｉが流れ、固定接触子２及び３の固定接点２ａ及び３ａと、可動接触子４の可動接点４ａ及び４ｂとが引き外されると、固定接触子２及び３と可動接触子４との間にはアークが発生する。
このアークＡは、図１１に示すように、磁気駆動ヨーク３０によって強められた磁束Φと鎖交するため、アークＡには可動接触子４の前後方向外側へ向かう力Ｆ２が働く。これにより、このアークＡは、可動接触子４の両端側に配置された消弧装置６まで移動する。
【００３７】
このように、上述した第１及び第２の実施形態と同様に、接点開極時に通電路の周囲に発生したアークを適切に消弧装置側へ移動させることができる。
ところで、第２の実施形態のように、アーク転流板１９に形成されたＵ字形磁性体１９ａ，１９ｂの両脚部上面に磁気駆動ヨーク３０を固定する構成の場合、図１２に示すように、永久磁石からの漏れ磁束Φ´が発生する。そのため、接点間に発生するアークＡを消弧装置６側へ駆動させるための電磁力を効率的に発生させることができない。
【００３８】
これに対して本実施形態では、永久磁石からなる磁気駆動ヨーク３０を、Ｕ字形磁性体２９ａ，２９ｂの両脚部の内側表面に固定する。換言すると、永久磁石からなる磁気駆動ヨーク３０の外側にＵ字形磁性体２９ａ，２９ｂを配置する。そのため、図１２に示すような永久磁石からの漏れ磁束Φ´を減らすことができ、その分、接点間に発生するアークＡを消弧装置６側へ駆動させるための電磁力を効率的に発生させることができる。
【００３９】
（効果）
このように、第３の実施形態では、磁気駆動ヨークをアーク転流板と一体的に構成するので、回路遮断器の組み立てや部品管理が容易となる。
また、磁気駆動ヨークを短冊形とするので、上述した第１の実施形態におけるＵ字形の磁気駆動ヨークと比較して、永久磁石の大きさを小さくすることができ、その分コストを削減することができる。
さらに、磁気駆動ヨークをアーク転流板のＵ字形磁性体の両脚部の内側表面に固定するので、永久磁石からの漏れ磁束を減らすことができ、接点間に発生するアークを消弧装置側へ効率良く移動させることができる。
【００４０】
また、磁気駆動ヨークをアーク転流板のＵ字形磁性体に形成された段差部に固定するので、上述した第２の実施形態の磁気駆動ヨークと比較して、永久磁石の厚さを薄くすることができ、その分コストを削減することができる。さらに、段差部に磁気駆動ヨークを吸着させることができるので、段差なく単にＵ字形磁性体の両脚部の内側表面に磁気駆動ヨークを固定する場合と比較して、磁気駆動ヨークの位置決めが容易となり、組立性を簡素化することができる。
【符号の説明】
【００４１】
１…電流遮断器、２…固定接触子、２ａ…固定接点、３…固定接触子、３ａ…固定接点、４…可動接触子、４ａ，４ｂ…可動接点、５…接触スプリング、６…消弧装置、７…グリッド、８…側壁、９…アーク転流板、１０…磁気駆動ヨーク、１０ａ，１０ｂ…脚部、１１…絶縁カバー、１１ａ，１１ｂ…側壁、１９…アーク転流板、１９ａ，１９ｂ…Ｕ字形磁性体、２０…磁気駆動ヨーク、２９…アーク転流板、２９ａ，２９ｂ…Ｕ字形磁性体、２９ｃ…段差部、３０…磁気駆動ヨーク
【図１】
2012043541.tif 000003
【図２】
2012043541.tif 000004
【図３】
2012043541.tif 000005
【図４】
2012043541.tif 000006
【図５】
2012043541.tif 000007
【図６】
2012043541.tif 000008
【図７】
2012043541.tif 000009
【図８】
2012043541.tif 000010
【図９】
2012043541.tif 000011
【図１０】
2012043541.tif 000012
【図１１】
2012043541.tif 000013
【図１２】
2012043541.tif 000014
【図１３】
2012043541.tif 000015